(57)【要約】      （修正有）【課題】複数のインバータのうちの対応するインバータに自動的に関連付ける方法を提供する。【解決手段】自身の動作に関する測定値Ｍ１、Ｍ２、Ｍ３を生成するように適合される複数のインバータ１０ａ、１０ｂ、１０ｃのうちの対応するインバータにモジュール１を自動的に関連付ける方法であって、複数のインバータのうちの対応するインバータの動作に関する測定値を生成するために、モジュールを設置することと、処理手段２によって、モジュールによって生成された測定値Ｍ４を、複数のインバータによって生成された測定値と比較することと、比較に基づいて、複数のインバータのうちのどれが、モジュールの対応するインバータであるかを、処理手段によって、決定する。【選択図】図１
2017077155.tif 000002
【特許請求の範囲】
【請求項１】
自身の動作に関する測定値（Ｍ１，Ｍ２，Ｍ３）を生成するように適合されている複数のインバータ（１０ａ，１０ｂ，１０ｃ）のうちの対応するインバータ（１０ａ）にモジュール（１）を自動的に関連付ける方法（２００）であって、
ａ）前記複数のインバータ（１０ａ，１０ｂ，１０ｃ）のうちの対応するインバータ（１０ａ）の動作に関する測定値（Ｍ４）を生成するために、前記モジュール（１）を設置すること（２０１）と、
ｂ）処理手段（２）によって、前記モジュール（１）によって生成された前記測定値（Ｍ４）を、前記複数のインバータ（１０ａ，１０ｂ，１０ｃ）によって生成された前記測定値（Ｍ１，Ｍ２，Ｍ３）と比較すること（２０２）と、
ｃ）前記比較に基づいて、前記複数のインバータ（１０ａ，１０ｂ，１０ｃ）のうちのどれが、前記モジュール（１）の前記対応するインバータ（１０ａ）であるかを、前記処理手段（２）によって決定することと
を含むことを特徴とする、方法。
【請求項２】
前記処理手段（２）によって、前記モジュール（１）と前記決定された対応するインバータ（１０ａ）との間の前記関連付けについての情報（５）を、制御システム（５０）に提供すること（２０４）を、更に含む、請求項１に記載の方法（２００）。
【請求項３】
前記モジュール（１）の前記測定値に、前記決定された対応するインバータ（１０ａ）のアドレスをタグ付けすることを含む、請求項１又は２に記載の方法（２００）。
【請求項４】
前記ステップｃ）の実行後に、未使用のアドレスを前記モジュール（１）に自動的に割り当てること（２０５）を含む、請求項１から３のいずれか一項に記載の方法（２００）。
【請求項５】
前記ステップｂ）が、以下の工程：
前記モジュール（１）によって生成された前記測定値（Ｍ４）と、前記複数のインバータ（１０ａ，１０ｂ，１０ｃ）によって生成された前記測定値（Ｍ１，Ｍ２，Ｍ３）との間の差を計算すること、
前記モジュール（１）によって生成された前記測定値（Ｍ４）によって表される電気的波形を、前記複数のインバータ（１０ａ，１０ｂ，１０ｃ）によって生成された前記測定値（Ｍ１，Ｍ２，Ｍ３）によって表される電気的波形と相互に関連付けること、及び
前記モジュール（１）によって生成された前記測定値（Ｍ４）と、前記複数のインバータ（１０ａ，１０ｂ，１０ｃ）によって生成された前記測定値（Ｍ１，Ｍ２，Ｍ３）との間の誤差を統計的に計算すること、
のうちの少なくとも一つを含む、請求項１から４のいずれか一項に記載の方法（２００）。
【請求項６】
前記ステップｃ）は、ステップｂ）の結果を、少なくとも一つの所定の閾値（２０）と比較することを含む、請求項１から５のいずれか一項に記載の方法（２００）。
【請求項７】
前記複数のインバータ（１０ａ，１０ｂ，１０ｃ）によって生成された前記測定値（Ｍ１，Ｍ２，Ｍ３）を、制御システム（５０）に送ること（２０７）と、
前記処理手段（２）によって、前記複数のインバータ（１０ａ，１０ｂ，１０ｃ）によって生成され、前記制御システム（５０）に流れている前記測定値（Ｍ１，Ｍ２，Ｍ３）を感知すること（２０８）と
を含む、請求項１から６のいずれか一項に記載の方法（２００）。
【請求項８】
前記ステップｃ）での前記決定の後に、前記対応するインバータ（１０ａ）によって生成された測定値（Ｍ１）の使用を、前記モジュール（１）によって生成された前記測定値（Ｍ４）の使用と交換すること（２０６）
を更に含む、請求項１から７のいずれか一項に記載の方法（２００）。
【請求項９】
複数のインバータ（１０ａ，１０ｂ，１０ｃ）のうちの対応するインバータ（１０ａ）の動作に関する測定値（Ｍ４）を生成するように適合されたモジュール（１）であって、
前記複数のインバータ（１０ａ，１０ｂ，１０ｃ）の動作に関する、前記インバータ（１０ａ，１０ｂ，１０ｃ）自身によって生成可能な測定値（Ｍ１，Ｍ２，Ｍ３）を感知し、
前記モジュール（１）の前記測定値（Ｍ４）を、前記感知された測定値（Ｍ１，Ｍ２，Ｍ３）と比較し、
前記比較に基づいて、前記複数のインバータ（１０ａ，１０ｂ，１０ｃ）のうちのどれが、前記対応するインバータ（１０ａ）であるかを決定する
ように構成された処理手段（２）を備えることを特徴とする、モジュール（１）。
【請求項１０】
前記処理手段（２）が、前記モジュール（１）と前記決定された対応するインバータ（１０ａ）との間の関連付けについての情報（５）を、制御システム（５０）に送るように適合される、請求項９に記載のモジュール（１）。
【請求項１１】
前記処理手段（２）が、前記モジュール（１）の前記測定値（Ｍ４）に、前記決定された対応するインバータ（１０ａ）のアドレスをタグ付けするように適合される、請求項９又は１０に記載のモジュール（１）。
【請求項１２】
前記処理手段（２）が、前記対応するインバータ（１０ａ）の決定の後に、未使用のアドレスを前記モジュール（１）に自動的に割り当てるように適合される、請求項９から１１のいずれか一項に記載のモジュール（１）。
【請求項１３】
前記処理手段（２）が、以下の工程：
前記モジュール（１）によって生成可能な測定値（Ｍ４）と、前記複数のインバータ（１０ａ，１０ｂ，１０ｃ）によって生成可能な前記測定値（Ｍ１，Ｍ２，Ｍ３）との間の差を計算すること；
前記モジュール（１）によって生成可能な前記測定値（Ｍ４）によって表された電気的波形を、前記複数のインバータ（１０ａ，１０ｂ，１０ｃ）によって生成可能な前記測定値（Ｍ１，Ｍ２，Ｍ３）によって表された電気的波形と比較すること；及び
前記モジュール（１）によって生成可能な前記測定値（Ｍ４）と、前記複数のインバータ（１０ａ，１０ｂ，１０ｃ）によって生成可能な前記測定値（Ｍ１，Ｍ２，Ｍ３）との間の誤差を統計的に計算すること；
のうちの少なくとも一つを実施するように適合される、請求項９から１２のいずれか一項に記載のモジュール（１）。
【請求項１４】
前記処理手段（２）が、前記モジュール（１）の前記測定値（Ｍ４）と前記複数のインバータ（１０ａ，１０ｂ，１０ｃ）の前記測定値（Ｍ１，Ｍ２，Ｍ３）との間の前記比較の結果を、少なくとも一つの所定の閾値（２０）と比較するように適合される、請求項９から１３のいずれか一項に記載のモジュール（１）。
【請求項１５】
自身の動作に関する測定値（Ｍ１，Ｍ２，Ｍ３）を生成するように適合されている複数のインバータ（１０ａ，１０ｂ，１０ｃ）と、
前記複数のインバータ（１０ａ，１０ｂ，１０ｃ）のうちの対応するインバータ（１０ａ）の動作に関する測定値（Ｍ４）を生成するように適合された少なくとも一つのモジュール（１）と
を少なくとも備える発電システム（１００）であって、
前記モジュール（１）によって生成可能な前記測定値（Ｍ４）を、前記複数のインバータ（１０ａ，１０ｂ，１０ｃ）によって生成可能な前記測定値（Ｍ１，Ｍ２，Ｍ３）と比較し、
前記比較に基づいて、前記複数のインバータ（１０ａ，１０ｂ，１０ｃ）のうちのどれが、前記モジュール（１）の前記対応するインバータ（１０ａ）であるかを決定する
ように構成される処理手段（２）を備えることを特徴とする、発電システム（１００）。
【請求項１６】
前記少なくとも一つのモジュール（１）が、請求項９から１５のいずれか一項に記載のモジュールであり、前記処理手段が、前記モジュール（１）の処理手段（２）である、請求項１５に記載の発電システム（１００）。
【請求項１７】
前記複数のインバータ（１０）及び前記少なくとも一つのモジュール（１）に動作可能に関連付けられた制御システム（５０）を備え、前記複数のインバータ（１０ａ，１０ｂ，１０ｃ）及び前記少なくとも一つのモジュール（１）が、前記測定値（Ｍ１，Ｍ２，Ｍ３，Ｍ４）を前記制御システム（５０）に送るように適合される、請求項１５又は１６に記載の発電システム（１００）。
【請求項１８】
前記処理手段（２）が、前記複数のインバータ（１０ａ，１０ｂ，１０ｃ）によって生成可能であり、前記制御システム（５０）に流れている前記測定値（Ｍ１，Ｍ２，Ｍ３）を感知するように適合される、請求項１７に記載の発電システム（１００）。
【請求項１９】
前記制御システム（５０）が、前記モジュール（１）と前記対応するインバータ（１０ａ）の間に生じた自動的な関連付けを認識した後に、前記対応するインバータ（１０ａ）からの前記測定値（Ｍ１）の使用を、前記モジュール（１）からの前記測定値（Ｍ４）の使用と交換するように適合される、請求項１５から１８のいずれか一項に記載の発電システム（１００）。
【発明の詳細な説明】
【技術分野】
【０００１】
本発明は、モジュール、例えばメーターを、発電プラントに設置された複数のインバータのうちの対応するインバータに自動的に関連付ける方法に関する。
【背景技術】
【０００２】
周知のように、インバータは、一つ以上のソースによって受け取られたＤＣ電力のＡＣ電力への電力変換を行うために、発電プラント、特に、ソーラープラント又は風力発電プラントなどの再生可能発電プラント、で用いられ得るパワーエレクトロニクス機器である。
【０００３】
インバータは、電気的出力、例えば生成されたＡＣ電流、電圧、電力、及び／又はエネルギーを測定するための手段などの、自身の動作に関する測定値を提供する手段を有し得る。
【０００４】
これらの測定値は、インバータ自身又はプラントの他のエレメント、デバイス、又はコンポーネントのモニタリング及び制御及び／又は診断作業を行うために、発電プラントの制御システムによって用いられ得る。
【０００５】
一般に、シリアルラインによって実施されるマスタ／スレーブ通信が用いられ、制御システムがマスタであり、インバータが、マスタによって一つずつ要求されるスレーブデバイスである。特に、このマスタ／スレーブ方式によれば、各スレーブは、他のスレーブのアドレスと異なるアドレスを有しなければならない。
【０００６】
メーターなどのモジュールが、プラントに設置されることができ、各モジュールが、対応するインバータの動作に関する測定値を提供する。
【０００７】
詳細には、モジュールの測定値は、一般に、対応するインバータの測定値よりも高い正確度を有し、制御システムにおけるインバータの測定値を統合する又は置き替えるために、用いられ得る。
【０００８】
設置者は、新しいモジュールを設置するときに、当該新しいモジュールと対応するインバータとの間の関連付けに手動で気を付けて、対応する関連付けられたインバータからの測定値を、新しいモジュールからの測定値と統合する又は置き替えるために、この情報を制御システムに提供しなければならない。
【０００９】
更に、モジュール・インバータの関連付けに気を付けることに加えて、設置者は、特に、制御システムとの通信を考慮して、未使用のアドレスを新しいモジュールに手作業で割り当てなければならない。
【００１０】
上記に照らして、当技術分野の現状において、既知の解決策は、ある程度満足のいく方法で実行するけれども、更なる改良に対する理由及び要求が、なお存在する。
【発明の概要】
【００１１】
そのような要求は、モジュールを、自身の動作に関する測定値を生成するように適合されている複数のインバータのうちの対応するインバータに自動的に関連付ける方法によって、満たされる。本方法は、以下を含む：
ａ）複数のインバータのうちの対応するインバータの動作に関する測定値を生成するためのモジュールを設置すること；
ｂ）モジュールによって生成された測定値を、複数のインバータによって生成された測定値と、処理手段によって、比較すること；
ｃ）比較に基づいて、複数のインバータのうちのどれが、モジュールの対応するインバータであるかを、処理手段によって、決定すること。
【００１２】
本発明の別の態様は、複数のインバータのうちの対応するインバータの動作に関する測定値を生成するように適合されたモジュールを提供することである。本モジュールは、以下のために構成された処理手段を備える：
複数のインバータの動作に関する、且つインバータ自身によって生成可能な測定値を感知すること；
モジュールの測定値を、感知された測定値と比較すること；及び
複数のインバータのうちのどれが、対応するインバータであるかを、比較に基づいて、決定すること。
【００１３】
本発明の他の態様は、少なくとも以下を備える発電システムである：
自身の動作に関する測定値を生成するように適合されている複数のインバータ；
複数のインバータのうちの対応するインバータの動作に関する測定値を生成するように適合された少なくとも一つのモジュール。
【００１４】
発電システムは、以下のために構成された処理手段を更に備える：
ａ）モジュールによって生成可能な測定値を、複数のインバータによって生成可能な測定値と比較すること；
ｃ）複数のインバータのうちのどれが、モジュールの対応するインバータであるかを、比較に基づいて、決定すること。
【００１５】
更なる特徴と利点が、添付の図面を用いて、非限定的な例によってのみ示される、本発明による方法、モジュール及び発電システムの幾つかの好適であるが唯一ではない実施形態の記載から、より明らかになるであろう。
【図面の簡単な説明】
【００１６】
【図１】本発明による、インバータ及び少なくとも一つの測定モジュールを備える発電システムを、概略的に示す。
【図２】測定モジュールを対応するインバータに自動的に関連付ける方法を、ブロック図形によって示す。
【図３】本発明による、発電システムの３つのインバータ及び測定モジュールによって生成される、ある時間にわたる電力測定値のプロットを示す。
【図４】図３に示された、３つのインバータの電力測定値とモジュールの電力測定値の間の差のプロットを示す。
【発明を実施するための形態】
【００１７】
以下の詳細な記述において、構造的観点及び／又は機能的観点から同一の又は類似の構成要素は、本開示の異なる実施形態に示されているかどうかにかかわらず、同じ参照番号を有する、ということに留意されたい。また、本開示を明確に且つ簡潔に記載するために、図面は必ずしも縮尺通りではなく、本開示の幾つかの特徴は、やや概略的な形で示され得るということにも、留意されたい。
【００１８】
更に、任意の構成要素の全体、又は構成要素の任意の一部、又は構成要素の組合せ全体、又は構成要素の組合せの任意の一部さえも参照しながら、「適合された（ａｄａｐｔｅｄ）」又は「配置された（ａｒｒａｎｇｅｄ）」又は「構成された（ｃｏｎｆｉｇｕｒｅｄ）」又は「適した（ｓｕｉｔａｂｌｅ）」という用語が、本書で用いられる場合、それに対応して、当該用語が参照する、関連する構成要素若しくはその一部、又は構成要素の組合せ若しくはその一部の構造及び／又は構成及び／又は形及び／又は配置を意味し、包含するということが、理解されねばならない。
【００１９】
図１及び図２を参照し、本開示は、モジュール１を、再生可能エネルギー生成システム１００などの発電システム１００に設置される複数のインバータ１０ａ、１０ｂ、１０ｃ．．．のうちの対応するインバータに自動的に関連付ける方法２００に関する。
【００２０】
図１に示された例示的な実施形態において、３つのインバータ１０ａ、１０ｂ、１０ｃのみが示されているけれども、方法２００は、任意の数のインバータ、すなわち２つ又は３つより多いインバータを有する発電システム１００に適用され得る。
【００２１】
動作中、インバータ１０ａ、１０ｂ、１０ｃは、太陽光発電パネル又は風力発電タワーなどのＤＣ源から入力電力を受け取り、受け取ったＤＣ電力を出力ＡＣ電力に変換する。出力されたＡＣ電力は、一つ以上のＡＣネットワーク又は負荷に送られることができる。
【００２２】
ＤＣ入力電力をＡＣ出力電力に変換するインバータの機能及び構造は、当業者には容易に利用可能であり、また本発明の範囲及び理解に関連しないので、詳細には記述しない。
【００２３】
インバータ１０ａ、１０ｂ、１０ｃは、自身の動作に関する測定値を生成するように適合される。当該測定値が、図１、図３、図４及び以下の説明において、それぞれ参照記号Ｍ１，Ｍ２及びＭ３で全体的に示される。
【００２４】
図１を参照すると、少なくとも一つのモジュール１が、インバータ１０ａ、１０ｂ、１０ｃのうちの対応するインバータの動作に関する測定値を生成するように、発電システム１００に設置されることができる。この測定値は、図１、図３、図４及び以下の説明において参照記号Ｍ４で全体的に示される。
【００２５】
詳細には、例えば図１に示されるモジュール１は、インバータ１０ａの動作に関連する測定値Ｍ４を生成するために設置される。例えば、モジュール１は、電気的ポイントに動作可能に接続され、インバータ１０ａの動作に関する電気的パラメータを測定するように、対応するインバータ１０ａの中に又は近くに配置され得る。
【００２６】
モジュール１の測定値Ｍ４及びインバータ１０ａ、１０ｂ、１０ｃの測定値Ｍ１，Ｍ２，Ｍ３は全て、インバータ動作に関係しているので、それらは互いに比較可能である。
【００２７】
例えば、インバータ１０ａ，１０ｂ，１０ｃによって生成可能な測定値Ｍ１，Ｍ２，Ｍ３は、生成されたＡＣ電流、電圧、電力及びエネルギーのうちの少なくとも一つの測定値などのインバータの電気的出力に関する測定値を含むことができ、従って、モジュール１によって生成可能な測定値Ｍ４は、対応するインバータの電気的出力に関する測定値を含む。例えば、モジュール１は、対応するインバータ１０ａの出力されたＡＣ電力、エネルギー、電流、電圧のうちの少なくとも一つを測定するための発電システム１００に設置されたメーター１であってよい。
【００２８】
インバータ１０ａ，１０ｂ，１０ｃからの測定値Ｍ１，Ｍ２，Ｍ３は、インバータ１０ａ，１０ｂ，１０ｃ自身の様々な出力された電気的パラメータに関する測定値を含むことができ、従って、測定値Ｍ４は、モジュール１に対応するインバータ１０ａの同じ様々な出力された電気的パラメータに関する測定値を含む。例えば、測定値Ｍ１，Ｍ２，Ｍ３は、インバータ１０ａ，１０ｂ，１０ｃによって出力されたＡＣ電力及び電流の測定値を含むことができ、従って、測定値Ｍ４は、モジュール１に対応するインバータ１０ａのＡＣ電力及び電流の測定値を含む。このように、測定値Ｍ１，Ｍ２，Ｍ３のＡＣ電力及び電流は、測定値Ｍ４のＡＣ電力及び電流と比較可能である。
【００２９】
好ましくは、モジュール１は、対応するインバータ１０ａによって生成される測定値よりも高い正確度を有する測定値を提供するように構成される。例えば、モジュール１は、０．２％又は０．５％の正確度等級、すなわち高品質等級を有する高品質メーター１であってよい。
【００３０】
モジュール１は、処理手段２を備える。「処理手段」という用語は、考案された動作を実行するために、データ、測定値、デジタル及び／又はアナログ値又は信号を処理するように適合された任意の手段を指す。
【００３１】
測定値Ｍ４を生成するためにモジュール１を設置すると（方法ステップ２０１）、本方法２００は、以下を含む：
モジュール１によって生成された測定値Ｍ４を、複数のインバータ１０ａ，１０ｂ，１０ｃによって生成された測定値Ｍ１，Ｍ２，Ｍ３と比較すること（方法ステップ２０２）；及び
比較に基づいて、複数のインバータ１０ａ，１０ｂ，１０ｃのうちのどれが、モジュール１に対応するインバータであるかを決定すること（方法ステップ２０３）。
【００３２】
上記方法ステップ２０２、２０３が、処理手段によって実行され、モジュール１と対応するインバータ１０ａの間の自動的な関連付けを実現する。
【００３３】
好ましくは、例えば図１に示されるように、ステップ２０２、２０３を実行する処理手段は、モジュール１自身の処理手段２である。
【００３４】
第一の解決法によれば、自身の測定値Ｍ１，Ｍ２，Ｍ３がモジュール１の測定値Ｍ４と比較される候補インバータ１０ａ，１０ｂ，１０ｃは、ステップ２０２の実行前に、モジュールフリー（ｍｏｄｕｌｅ−ｆｒｅｅ）である、すなわち関連付けられたモジュール１がない、と決定されている発電プラント１００のインバータのみとすることができる。
【００３５】
従って、この場合、方法２００は、次のステップ２０２及び２０３を実行する前に、どれがモジュールフリーのインバータであるかを、処理手段２によって決定するステップ２０９を含む。
【００３６】
プラント１００の、すでにモジュールと関連付けられたインバータの測定値は、ステップ２０２において、モジュール１の測定値Ｍ４との比較から除外されるので、方法２００の実行は加速される。
【００３７】
第二の代替的な解決法によれば、自身の測定値Ｍ１，Ｍ２，Ｍ３がモジュール１の測定値Ｍ４と比較される候補インバータ１０ａ，１０ｂ，１０ｃは、発電プラント１００の全てのインバータであり、それ故、モジュールフリーのインバータ及びすでにモジュールと関連付けられたインバータの両方を含む。
【００３８】
ステップ２０２及びステップ２０３の実行は、候補インバータ１０ａ，１０ｂ，１０ｃの動作中に実行される。
【００３９】
詳細には、ある期間の後に、測定の比較に基づいて、候補インバータ１０ａ，１０ｂ，１０ｃのうちの一つのみが、モジュール１に対応するインバータであると決定される。これは、例えば、インバータ１０ａ，１０ｂ，１０ｃの動作上の挙動の差異によるものである、それは、パネルシェーディング、異なるインバータサイズ／モデル／制御、異なる数の入力ＤＣ源、その他によって引き起こされ得る。
【００４０】
好ましくは、方法ステップ２０２は、以下の工程のうちの少なくとも一つの実行を含む：
モジュール１によって生成された測定値Ｍ４と、候補インバータ１０ａ，１０ｂ，１０ｃによって生成された比較可能な測定値Ｍ１，Ｍ２，Ｍ３との間の差を計算すること；
例えば数学的アルゴリズムを用いて、測定値Ｍ４によって表される電気的波形を、比較可能な測定値Ｍ１，Ｍ２，Ｍ３によって表される電気的波形と相互に関連付けること；及び
測定値Ｍ４と、比較可能な測定値Ｍ１，Ｍ２，Ｍ３との間の誤差、例えば平均二乗誤差及び／又は標準偏差、を統計的に計算すること。
【００４１】
好ましくは、方法ステップ２０３は、ステップ２０２の結果を、少なくとも一つの所定の閾値２０と比較することを含む。例えば、モジュール１の測定値Ｍ４と、一つの候補インバータ１０ａ又は１０ｂ又は１０ｃの測定値Ｍ１又はＭ２又はＭ３との間の比較の結果が、対応する所定の閾値２０を超える場合、この候補インバータは、モジュール１との関連性を考慮して、取り下げられる。
【００４２】
実際には、ある限られた期間後に、モジュール１の測定値Ｍ４と、候補インバータ１０ａ，１０ｂ，１０ｃのうちのただ一つのインバータとの間の比較結果のみが、選択する閾値２０より低いままであり、他方、他の候補インバータは取り下げられる。
【００４３】
好ましくは、例えば図１に示されるように、インバータ１０ａ，１０ｂ，１０ｃは、発電システム１００の制御システム５０に動作可能に関連付けられ、それらの測定値Ｍ１，Ｍ２，Ｍ３を発電システム１００の制御システム５０に送るように適合される。
【００４４】
制御システム５０は、インバータ１０ａ，１０ｂ，１０ｃ．．．及び／又はシステム１００に設置された他のデバイス又はコンポーネントに対する制御及び／又はモニタリング及び／又は診断作業などの作業を行うために、受け取った測定値Ｍ１，Ｍ２，Ｍ３を使用するように適合される。
【００４５】
図１に概略的に示された例示的な実施形態によれば、モジュール１及び対応するインバータ１０ａ，１０ｂ，１０ｃ，…が、好ましくは、ＲＳ４８５ライン又は他の適当なシリアル通信チャネルなどのシリアル通信ライン５２によって、制御システム５０との並列な通信状態に動作可能に置かれる。
【００４６】
必ずではないが、好ましくは、マスタスレーブ方式が、データ通信のために用いられ、ここで、制御システム５０は、スレーブデバイスであるインバータ１０ａ，１０ｂ，１０ｃからの測定値Ｍ１，Ｍ２，Ｍ３をポーリング方式で要求するマスタである。
【００４７】
図１に示された例示的な実施形態によれば、モジュール１もまた、制御システム５０に動作可能に関連付けられ、その測定値Ｍ４を制御システム５０に送るように適合される。好ましくは、モジュール１の処理手段２が、測定値Ｍ４を送るように適合される。
【００４８】
例えば、図１に概略的に示された実施形態において、モジュール１は、制御システム５０と、また並列にインバータ１０ａ，１０ｂ，１０ｃと通信するように、通信ライン５２と動作可能に接続される。必ずではないが、好ましくは、モジュール１もまた、マスタスレーブ方式により、制御システム５０と通信状態に置かれ、ここで、システム５０は、スレーブデバイスであるモジュール１に測定値Ｍ４を要求するマスタデバイスである。
【００４９】
好ましくは、処理手段２は、方法ステップ２０２における比較のため、それらを集めるために、候補インバータ１０ａ，１０ｂ，１０ｃによって生成可能な測定値Ｍ１，Ｍ２，Ｍ３を感知するように、更に適合される。より好ましくは、処理手段２は、インバータ１０ａ，１０ｂ，１０ｃの測定値Ｍ１，Ｍ２，Ｍ３を、制御システム５０に流れている間に、感知するように適合される。
【００５０】
図１に示される例示的な実施形態によれば、モジュール１の処理手段２は、制御システム５０によって要求されたときに、ライン５２上で入手可能にされたインバータ１０ａ，１０ｂ，１０ｃの測定値Ｍ１，Ｍ２，Ｍ３を感知するように、通信ライン５２に動作可能に接続される。
【００５１】
上記記載によれば、方法２００は、好ましくは、以下のステップ２０７及びステップ２０８を含む：
インバータ１０ａ，１０ｂ，１０ｃの測定値Ｍ１，Ｍ２，Ｍ３を制御システム５０に送ること；及び
処理手段２によって、制御システム５０に流れている複数のインバータ１０ａ，１０ｂ，１０ｃの測定値Ｍ１，Ｍ２，Ｍ３を感知すること。
【００５２】
図２に示される例示的な実施形態によれば、ステップ２０３の実行後に、方法２００は、モジュール１と決定された対応するインバータ１０ａとの間の関連付けについての情報（図１に示された例において参照番号５で示される）を、処理手段２を通して、提供するステップ２０４を更に含む。処理手段２自体が、そのような情報５を生成するように適合されてもよい。
【００５３】
好ましくは、情報５は、モジュール１に、どれが、その決定された対応するインバータ１０ａであるかを尋ねるように適合される制御システム５０に提供される。
【００５４】
例えば、ステップ２０４は、モジュール１の測定値Ｍ４に、決定された対応するインバータ１０ａのアドレスをタグ付けすることを含む。このようにして、測定値Ｍ４を受け取る制御システム５０もまた、どれが、モジュール１の決定された対応するインバータ１０ａであるかを認識することができる。
【００５５】
図２に示された例示的な実施形態によれば、ステップ２０３の実行後に、方法２００は、好ましくは処理手段２によって、未使用のアドレスをモジュール１に自動的に割り当てるステップ２０５を更に含む。「未使用」という用語は、インバータ１０ａ，１０ｂ，１０ｃ…又は発電システム１００に設置された他のモジュール１によってまだ使用されていないことを意味する。
【００５６】
例えば、そのようなステップ２０５は、モジュール１と関連付けられた決定されたインバータ１０ａのアドレスと同じ数字ベースを有する未使用のアドレスを選択することを含む。
【００５７】
一組の未使用のアドレスが、モジュール１自体の適当な手段において入手可能であり得る。又は、情報５を認識した後に、制御システム５０によって割り当てられ、モジュール１に送られることができる。
【００５８】
好ましくは、方法ステップ２０９は、それが提供された場合には、方法ステップ２０２を実行する前に、インバータのうちのどれがモジュールフリーであるかを決定するために、処理手段２によって、通信ライン５２上でデータを感知することを含む。例えば、処理手段２は、ライン５２上で入手可能にされている、設置済のモジュール１の測定値を感知し、設置済のモジュール１と対応するインバータとの間の関連付けを示すために、これらの感知された測定値が、どのようにタグ付けされているかをチェックするように、適合される。
【００５９】
好ましくは、方法２００は、インバータ１０ａによって生成された測定値Ｍ１の使用を、関連付けられたモジュール１によって生成された測定値Ｍ４の使用に交換するステップ２０６を更に含む。これは、特に、対応するインバータ１０ａよりも質の高い測定値を提供するモジュール１の設置を考慮すると、特に有利である。
【００６０】
実際には、モジュール１は、インバータ１０ａ，１０ｂ，１０ｃの後に、発電プラント１００に設置されることができ、方法ステップ２０４の実行で、制御システム５０は、モジュール１と対応するインバータ１０ａとの間の関連付けを認識することができる。その結果、制御システム５０は、作業を遂行するために、インバータ１０ａからの測定値Ｍ１を、モジュール１の質の高い測定値Ｍ４で置き替えることができる。
【００６１】
図１に示された発電システム１００を特に参照することによって、方法２００の例示的な実行が、以下に開示される。
【００６２】
開始条件が考察され、ここで、３つのインバータ１０ａ，１０ｂ，１０ｃが、自身の動作に関する、通信ライン５２を通って制御システム５０に送られる測定値Ｍ１，Ｍ２，Ｍ３を生成するように、システム１００に設置される。
【００６３】
時間と共に生成された測定値Ｍ１，Ｍ２，Ｍ３の例が、図３のグラフに示され、これらの測定値Ｍ１，Ｍ２，Ｍ３は、それぞれ、インバータ１０ａ，１０ｂ，１０ｃによって生成されたＡＣ電力の測定値である。
【００６４】
制御システム５０は、例えばポーリング方式で、通信ライン５２上で入手可能にされている測定値Ｍ１，Ｍ２，Ｍ３を要求するように、適合される。これらの測定値Ｍ１，Ｍ２，Ｍ３は、制御及び／又はモニタリング及び／又は診断作業などの作業を行なうために、制御システム５０によって用いられる。
【００６５】
この開始条件において、示されたインバータ１０ａ，１０ｂ，１０ｃは、モジュールフリー、すなわち、対応するモジュール１とまだ関連付けられていない。
【００６６】
更なる次の条件が考察され、ここで、一つのモジュール１が、測定値Ｍ４を生成するために、発電システム１００に設置される（方法ステップ２０１）。図３を参照し、これらの測定値Ｍ４は、例えば、（すでに測定値Ｍ１を提供している）対応するインバータ１０ａによって生成されたＡＣ電力の測定値である。
【００６７】
測定値Ｍ１とＭ４が、インバータ１０ａの同じ出力された電気的実体に関するとしても、測定値Ｍ４は、測定値Ｍ１よりも高い正確度を有する場合が、例えば、更に考察される。
【００６８】
モジュール１が設置されると、その処理手段２が、通信ライン５２と動作可能に接続される。特に、処理手段２は、制御システム５０の要求で、インバータ１０ａ，１０ｂ，１０ｃ自身によって、ライン５２上で入手可能にされた場合に、全てのインバータ１０ａ，１０ｂ，１０ｃの測定値Ｍ１，Ｍ２，Ｍ３を感知する（方法ステップ２０８）ように、通信ライン５２と動作可能に接続される。
【００６９】
処理手段２は、例えば、ライン５２上のデータトラフィックを感知することによって、インバータ１０ａ，１０ｂ，１０ｃがモジュールフリーであることを決定する（方法ステップ２０９）。その結果、全ての感知された測定値Ｍ１，Ｍ２，Ｍ３が、モジュール１の処理手段２によって、モジュール１自身によって提供された測定値Ｍ４と比較される（方法ステップ２０２の実行）。
【００７０】
例えば、モジュール１の処理手段２は、
測定値Ｍ４と、測定値Ｍ１，Ｍ２及びＭ３の間の差を計算し、及び／又は
測定値Ｍ４によって表される出力電力波形を、測定値Ｍ１，Ｍ２及びＭ３によって表される出力電力波形と相互に関連付け、及び／又は
測定値Ｍ４と、測定値Ｍ１，Ｍ２及びＭ３との間の誤差、例えば平均二乗誤差、を統計的に計算する。
【００７１】
モジュール１の処理手段２は、測定値Ｍ４と感知された測定値Ｍ１，Ｍ２及びＭ３との間の比較の結果を、対応する所定の閾値と比較する。
【００７２】
例えば、図４を参照すると、測定値Ｍ４と感知された測定値Ｍ１，Ｍ２及びＭ３との間の差の絶対値｜Ｍ４−Ｍ１｜，｜Ｍ４−Ｍ２｜，｜Ｍ４−Ｍ３｜が、処理手段２によって、示された例示的な閾値２０と比較される。
【００７３】
インバータ１０ａ，１０ｂ，１０ｃの異なる動作上の挙動のため、絶対差｜Ｍ４−Ｍ２｜は、時刻ｔ１において所定の閾値２０を超えるようになっており、他方、絶対差｜Ｍ４−Ｍ３｜は、時刻ｔ２において所定の閾値２０を超えるようになっている。その結果、候補インバータ１０ｂ及び１０ｃは、それぞれ、時刻ｔ１及び時刻ｔ２におけるモジュール１との関連付けを考慮して、取り下げられる。
【００７４】
その代わりに、測定値Ｍ４及びＭ１は、同じインバータ１０ａによって出力された電力に関係するので、それらの差の絶対値｜Ｍ４−Ｍ１｜は、閾値２０より低いままである。従って、候補インバータ１０ａが、モジュール１自身に対応する有効インバータ１０ａであると、モジュール１の処理手段２によって、自動的に認識される（方法ステップ２０３）。
【００７５】
そのような決定の後に、モジュール１の処理手段２は、モジュール１自身と、決定された対応するインバータ１０ａとの間の関連付けについての情報５を生成し、この情報５を、通信ライン５２を通して、制御システム５０に送る（方法ステップ２０４）。
【００７６】
制御システム５０による情報５の受取り時に、又は受け取ると、モジュール１は、その測定値Ｍ４を制御システム５０に送り始める。
【００７７】
例えば、モジュール１の処理手段２は、測定値Ｍ４  に、決定された対応するインバータ１０ａのアドレスをタグ付けする。このようにして、設置されたインバータ１０ａ，１０ｂ，１０ｃのアドレスをすでに知っている制御システム５０は、モジュール１と対応するインバータ１０ａとの間の自動的に発生した関連付けを容易に認識することができる。
【００７８】
更に、モジュール１と制御システム５０との間の通信を確立するために、対応するインバータ１０ａの決定後に、未使用のアドレスが、モジュール１に自動的に割り当てられる（方法ステップ２０５）。
【００７９】
処理手段２自身が、リストから未使用のアドレスを選択することができてもよいし、又は未使用のアドレスを制御システム５０に尋ねてもよい。未使用のアドレスは、リストのアドレスの間でランダムに選択されてもよいし、又は、好ましくは、決定された対応するインバータ１０ａのアドレスと同じ数字ベースを有する未使用のアドレスのなかで選択されてもよい。
【００８０】
情報５の受取り後、制御システム５０は、インバータ１０ａからの測定値Ｍ１の使用を、より高い質を有する対応するモジュール１からの測定値Ｍ４の使用に交換する。
【００８１】
次の状況が考察され、ここで、更なるモジュール１（図１において点線で描かれている）が、
インバータ１０ｂの動作に関する測定値を生成するために、プラント５０に設置される。更なるモジュール１が設置されると、その処理手段２が、インバータ１０ａ，１０ｂ，１０ｃの測定値Ｍ１，Ｍ２，Ｍ３を感知するように、通信ライン５２に動作可能に接続される。
【００８２】
更なるモジュール１の処理手段２は、インバータ１０ｂ及び１０ｃがモジュールフリーであり、他方、インバータ１０ａが、一つのモジュール１と以前に関連付けられていることを決定する。例えば、処理手段２は、対応するインバータ１０ａのアドレスをタグ付けられている測定値Ｍ４  を、ライン５２上で感知することによって、この決定を行う。
【００８３】
そのような決定のため、候補インバータ１０ｂ、１０ｃの感知された測定値Ｍ２，Ｍ３のみが、更なるモジュール１の処理手段２によって、更なるモジュール１自身によって提供される測定値と比較される。
【００８４】
測定値Ｍ４と測定値Ｍ１，Ｍ２，Ｍ３との間の上記で開示された比較と同様に起こり得るそのような比較に基づいて、候補インバータ１０ｂが、更なるモジュール１自身に対応する有効なインバータ１０ｂであると、更なるモジュール１の処理手段２によって、自動的に認識される。
【００８５】
そのような決定後に、更なるモジュール１の処理手段２は、更なるモジュール１自身と決定された対応するインバータ１０ｂとの間の関連付けについての情報５を生成し、この情報を制御システム５０に送る。
【００８６】
制御システム５０によるこの情報の受取り時に、又は受け取ると、更なるモジュール１は、その測定値を制御システム５０に送り始め、未使用のアドレスが、それに自動的に割り当てられる。
【００８７】
情報５の受取り後、制御システム５０は、インバータ１０ｂからの測定値Ｍ２の使用を、より高い質を有する、対応する更なるモジュール１からの測定値の使用に交換する。
【００８８】
実際に、方法２００並びに関連するモジュール１及び発電システム１００が、どのようにして、既知の解決法に対する幾つかの改良を提供する意図された目的を達成することを可能にするかを、見てきた。
【００８９】
特に、新しいモジュール１を発電システム１００に設置するとき、設置者は、そのような新しいモジュール１と対応するインバータ１０ａとの間の関連付けに手動で気を付けなくてよいし、また、設置者は、この情報を制御システム５０に提供しなくてよい。
【００９０】
実際、処理手段２による方法２００の実行は、発電システム１００への新しいモジュール１の設置以外に、それ以上のいかなる作業も設置者に要求することなく、モジュール１を対応するインバータ１０ａに自動的に関連付けることを可能にする。
【００９１】
更に、上記で開示された処理手段２は、制御システム５０に対して、生じた関連付けの情報を自動的に生成することができ、また、対応するインバータ１０ａが決定されると、未使用のアドレスを新しいモジュール１に自動的に割り当てることができる。
【００９２】
このように、特に、インバータ１０ａ，１０ｂ，１０ｃの測定値Ｍ１，Ｍ２，Ｍ３を、対応するモジュール１の測定値で置換することを考慮すると、処理が自動化され、誤りが少なくなる。
【００９３】
このようにして着想された方法２００、並びに関連するモジュール１及び発電システム１００はまた、修正及び変形を受け入れることができ、その全てが、詳細には添付の特許請求の範囲によって定められるような発明概念の範囲内にある。
【００９４】
例えば、上記で開示された方法ステップを実行するように適合された処理手段は、インバータ１０の適当な処理手段及び／又は制御システム５０の適当な処理手段などの、モジュール１の処理手段２以外のものであってよい。
【００９５】
例えば、好ましくは、測定値Ｍ１，Ｍ２，Ｍ３，Ｍ４は、対応するインバータ１０ａ，１０ｂ，１０ｃの少なくとも一つの電気的な出力されたパラメータに関する測定値を含むとしても、これらの測定値Ｍ１，Ｍ２，Ｍ３，Ｍ４は、代替的に又は追加的に、温度測定値又はインバータ１０ａ，１０ｂ，１０ｃの動作に関する他の測定値を含んでもよい。
【００９６】
例えば、好ましくは、モジュール１の測定値は、対応するインバータ１０ａ，１０ｂ，１０ｃの測定値Ｍ１，Ｍ２，Ｍ３よりも高い正確度を有するとしても、制御システム５０は、これらの測定値Ｍ１，Ｍ２，Ｍ３を置き替える代わりに、関連付けられたモジュール１の測定値と統合することができる。
【００９７】
例えば、「処理手段」という用語は、マイクロプロセッサ、デジタルシグナルプロセッサ、マイクロコンピュータ、ミニコンピュータ、光コンピュータ、複合命令セットコンピュータ、特定用途向け集積回路、縮小命令セットコンピュータ、アナログコンピュータ、デジタルコンピュータ、固体回路コンピュータ、シングルボードコンピュータ、又はこれらのうちの任意の組合せを含んでよい。
【００９８】
実際には、全ての部品／コンポーネントが、他の技術的に等価な要素で置き替えることができる。実際には、材料の種類、及び寸法は、必要に応じて、また技術の現状に応じて、任意であってよい。
【図１】
2017077155.tif 000003
【図２】
2017077155.tif 000004
【図３】
2017077155.tif 000005
【図４】
2017077155.tif 000006
【外国語明細書】
2017077155000001.pdf
2017077155000002.pdf
2017077155000003.pdf
2017077155000004.pdf